(57)【要約】【課題】ＵＲＬなどのアクセス情報を公開することなく、プログラムをダウンロードすることができ、しかもユーザの操作が簡単である、サーバ装置に接続するための通信端末装置を提供する。【解決手段】ディジタル複合装置２０は、そのハードディスクドライブ９においてアクセス情報９ａを記憶し、主制御部１は、例えばクライアントパーソナルコンピュータ３０からの、当該ディジタル複合装置２０が有するプログラムの更新指示信号に基づいて、上記アクセス情報９ａを用いてインターネット９０を介してＨＴＴＰサーバ装置２００にアクセスし、ＨＴＴＰサーバ装置２００のドライバメモリ２００ａに格納されたプリンタドライバのプログラムをインターネット９０を介してダウンロードし、上記ダウンロードしたプリンタドライバのプログラムに基づいて当該ディジタル複合装置２０が有するプリンタドライバのプログラムを更新する。【選択図】図５
2005209075.tif 000002
【特許請求の範囲】
【請求項１】
所定のプログラムを格納するサーバ装置にネットワークを介して接続された通信端末装置において、
上記サーバ装置へのアクセス情報を記憶する記憶手段と、
当該通信端末装置が有するプログラムの更新指示又は更新指示信号に基づいて、上記アクセス情報を用いて上記サーバ装置にアクセスし、上記サーバ装置に格納されたプログラムをダウンロードし、上記ダウンロードしたプログラムに基づいて当該通信端末装置が有するプログラムを更新する制御手段とを備えたことを特徴とする通信端末装置。
【請求項２】
所定のプログラムを格納するサーバ装置に第１のネットワークを介して接続され、プログラムを有するクライアント装置に第２のネットワークを介して接続された通信端末装置において、
上記サーバ装置へのアクセス情報を記憶する記憶手段と、
当該クライアント装置が有するプログラムの更新指示信号に基づいて、上記アクセス情報を用いて上記サーバ装置にアクセスし、上記サーバ装置に格納されたプログラムをダウンロードし、上記ダウンロードしたプログラムを上記クライアント装置に転送し、上記転送したプログラムに基づいて、上記クライアント装置が有するプログラムを更新するように制御する制御手段とを備えたことを特徴とする通信端末装置。
【請求項３】
所定の処理を受け付けるサーバ装置にネットワークを介して接続された通信端末装置において、
上記サーバ装置へのアクセス情報を記憶する記憶手段と、
上記所定の処理の実行指示又は実行指示信号に基づいて、上記アクセス情報を用いて上記サーバ装置にアクセスし、上記サーバ装置に対して上記所定の処理の実行指示信号を送信する制御手段とを備えたことを特徴とする通信端末装置。
【請求項４】
上記制御手段は、上記所定の処理の実行指示信号に応答して返信される受付信号を受信することを特徴とする請求項３記載の通信端末装置。
【請求項５】
上記アクセス情報は認証情報を含むことを特徴とする請求項１乃至４のうちのいずれか１つに記載の通信端末装置。
【請求項６】
上記アクセス情報は上記サーバ装置のＵＲＬ（Uniform Resource Locator）であることを特徴とする請求項１乃至５のうちのいずれか１つに記載の通信端末装置。
【請求項７】
上記サーバ装置はＨＴＴＰ（Hyper Text Transfer Protocol）サーバ装置であることを特徴とする請求項１乃至６のうちのいずれか１つに記載の通信端末装置。
【発明の詳細な説明】
【技術分野】
【０００１】
本発明は、例えばファクシミリ装置、ディジタル複合装置、パーソナルコンピュータなどの通信端末装置に関する。
【背景技術】
【０００２】
従来、プリンタや、ディジタル複合装置を購入されたユーザ向けのウエブサイトがあり、そのサーバ装置から最新のドライバプログラムをダウンロードするようになっている。
【０００３】
また、例えば、ネットワーク上のサーバ装置から必要なプログラムをダウンロードして実行するための装置（以下、従来例という。）が、特許文献１において開示されている。
【０００４】
この従来例の装置では、サービス管理サーバ装置に、複数のアプリケーションを格納し、かつネットワークを介してサーバに端末装置を接続し、ユーザのＩＤ及びパスワードからなる個人情報が記憶されたＩＣカードが端末装置に挿入されると、端末装置はカードの個人情報を読み取りユーザ管理サーバ装置に送ってユーザの認証を行わせる。そして、認証が成功すると端末装置はカードのユーザＩＤを含むサービス要求をサーバ装置に行い、サーバ装置から出力されるユーザＩＤに応じた複数のアプリケーションを自動的にダウンロードするとともに、このダウンロードしたアプリケーションをユーザ側からの起動要求に応じて実行する。
【０００５】
【特許文献１】特開２００２−１６９６２１号公報。
【発明の開示】
【発明が解決しようとする課題】
【０００６】
しかしながら、従来例に係るサービス管理サーバ装置のＵＲＬ（Uniform Resource Locator）を公開する必要があり、ハッカーなどから攻撃を受けやすい。また、従来例では、個人認証のためにＩＣカードを用いることが必要になり、操作が煩わしいという問題点があった。
【０００７】
本発明の目的は以上の問題点を解決し、ＵＲＬなどのアクセス情報を公開することなく、プログラムをダウンロードすることができ、しかもユーザの操作が簡単である、サーバ装置に接続するための通信端末装置を提供することにある。
【課題を解決するための手段】
【０００８】
第１の発明に係る通信端末装置は、所定のプログラムを格納するサーバ装置にネットワークを介して接続された通信端末装置において、
上記サーバ装置へのアクセス情報を記憶する記憶手段と、
当該通信端末装置が有するプログラムの更新指示又は更新指示信号に基づいて、上記アクセス情報を用いて上記サーバ装置にアクセスし、上記サーバ装置に格納されたプログラムをダウンロードし、上記ダウンロードしたプログラムに基づいて当該通信端末装置が有するプログラムを更新する制御手段とを備えたことを特徴とする。
【０００９】
第２の発明に係る通信端末装置は、所定のプログラムを格納するサーバ装置に第１のネットワークを介して接続され、プログラムを有するクライアント装置に第２のネットワークを介して接続された通信端末装置において、
上記サーバ装置へのアクセス情報を記憶する記憶手段と、
当該クライアント装置が有するプログラムの更新指示信号に基づいて、上記アクセス情報を用いて上記サーバ装置にアクセスし、上記サーバ装置に格納されたプログラムをダウンロードし、上記ダウンロードしたプログラムを上記クライアント装置に転送し、上記転送したプログラムに基づいて、上記クライアント装置が有するプログラムを更新するように制御する制御手段とを備えたことを特徴とする。
【００１０】
第３の発明に係る通信端末装置は、所定の処理を受け付けるサーバ装置にネットワークを介して接続された通信端末装置において、
上記サーバ装置へのアクセス情報を記憶する記憶手段と、
上記所定の処理の実行指示又は実行指示信号に基づいて、上記アクセス情報を用いて上記サーバ装置にアクセスし、上記サーバ装置に対して上記所定の処理の実行指示信号を送信する制御手段とを備えたことを特徴とする。
【００１１】
上記第３の発明に係る通信端末装置において、上記制御手段は、上記所定の処理の実行指示信号に応答して返信される受付信号を受信することを特徴とする。
【００１２】
上記通信端末装置において、上記アクセス情報は認証情報を含むことを特徴とする。
【００１３】
また、上記通信端末装置において、上記アクセス情報は上記サーバ装置のＵＲＬ（Uniform Resource Locator）であることを特徴とする。
【００１４】
さらに、上記通信端末装置において、上記サーバ装置はＨＴＴＰ（Hyper Text Transfer Protocol）サーバ装置であることを特徴とする。
【発明の効果】
【００１５】
本発明に係る通信端末装置によれば、サーバ装置へのアクセス情報を記憶し、当該通信端末装置が有するプログラムの更新指示又は更新指示信号、もしくは所定の処理の実行指示又は実行指示信号に基づいて、上記アクセス情報を用いて上記サーバ装置にアクセスするので、ＵＲＬや認証情報などのアクセス情報を公開する必要がなく、安全性が大幅に向上する。また、認証のためのＩＣカードも必要がなく、ユーザの操作が簡単である。
【発明を実施するための最良の形態】
【００１６】
以下、本発明に係る実施形態について図面を参照して説明する。
【００１７】
＜実施形態＞
図１は、本発明に係る通信端末装置の一例であり、実施形態に係る、コピー、プリンタ及びスキャナー機能付きのファクシミリ装置であるディジタル複合装置２０を備えたＬＡＮシステムの構成を示すブロック図である。
【００１８】
この実施形態に係るＬＡＮシステムは、複数Ｎ台のクライアントパーソナルコンピュータ３０−１乃至３０−Ｎ（以下、総称して符号３０を付す。）と、公衆電話回線Ｌを介して公衆電話網８０に接続されたディジタル複合装置２０と、インターネット９０に接続されたルータ装置６０とがＬＡＮ７０を介して接続されて構成されてなる。各クライアントパーソナルコンピュータ３０からルータ装置６０やメールサーバ装置（図示せず。）を介してインターネット９０に接続することにより、ホームページの閲覧や電子メールの送受信を行うことができ、また、各クライアントパーソナルコンピュータ３０は、ディジタル複合装置２０に対してアクセスすることにより、当該装置２０が有するコピー、プリンタ、スキャナー及びファクシミリの各機能を共通に利用することができるように構成されている。
【００１９】
この実施形態の一例においては、ＬＡＮ７０はインターネット９０を介して、ディジタル複合装置２０用のドライバのプログラムを格納したドライバメモリ２００ａを備えたＨＴＴＰサーバ装置２００に接続されている。例えば、図５の実施例２に示すように、通信端末装置であるディジタル複合装置２０は、そのハードディスクドライブ９においてアクセス情報９ａを記憶し、主制御部１は、例えばクライアントパーソナルコンピュータ３０からの、当該ディジタル複合装置２０が有するプログラムの更新指示信号（もしくは、ディジタル複合装置２０の操作部５を用いて入力された更新指示であってもよい。）に基づいて、上記アクセス情報９ａを用いてインターネット９０を介してＨＴＴＰサーバ装置２００にアクセスし、ＨＴＴＰサーバ装置２００のドライバメモリ２００ａに格納されたプリンタドライバのプログラムをインターネット９０を介してダウンロードし、上記ダウンロードしたプリンタドライバのプログラムに基づいて当該ディジタル複合装置２０が有するプリンタドライバのプログラムを更新することを特徴としている。
【００２０】
図２は、図１のクライアントパーソナルコンピュータ３０の構成を示すブロック図である。
【００２１】
図２において、クライアントパーソナルコンピュータ３０は、公知のパーソナルコンピュータである外部端末装置であって、画像データや文字データの生成や記録、格納などの処理を実行する。本実施形態においては、クライアントパーソナルコンピュータ３０は、一例として、スキャナーにより走査された画像データを受信する外部端末装置や、クライアントパーソナルコンピュータ３０で生成された原稿画像の画像データ（例えば、ワードプロセッサのソフトウェアで作成された原稿の画像データをいう。）をディジタル複合装置２０を介して相手先のファクシミリ装置又はディジタル複合装置などの受信側通信端末装置にファクシミリ送信する情報処理装置として用いられる。また、クライアントパーソナルコンピュータ３０は、図４の実施例１及び２のように、ユーザの操作に基づくＰＣ用又は装置２０用プリンタドライバの更新指示信号の発生装置として用いられる。
【００２２】
主制御部１０１は具体的にはＣＰＵで構成されており、バス１１３を介して以下のハードウェア各部と接続されていてそれらを制御するほか、後述する種々のソフトウェアの機能を実行する。このクライアントパーソナルコンピュータ３０において、画像読取部及び画像記録部（図示せず。）はオプションで設けられる。表示部１０４は、液晶表示装置（ＬＣＤ）又はＣＲＴディスプレイ等の表示装置であり、当該クライアントパーソナルコンピュータ３０の動作状態を表示したり、送信すべき原稿の画像データ、及び受信した画像データの表示を行う。操作部１０５は、例えばキーボードであり、文字データや指示コマンドを入力するためのものである。
【００２３】
ＲＯＭ１０６は、当該クライアントパーソナルコンピュータ３０の動作に必要であって主制御部１０１によって実行される種々のソフトウェアのプログラムを予め格納する。また、ＲＡＭ１０７は、ＳＲＡＭ、ＤＲＡＭ、ＳＤＲＡＭ等で構成され、主制御部１０１のワーキングエリアとして使用されてプログラムの実行時に発生する一時的なデータを記憶する。さらに、ハードディスクドライブ１０８は、記録媒体を内蔵する記憶装置であり、以下のテーブル又は領域を含む。
（ａ）画像データメモリ領域１０８ａ：画像データを格納するメモリ領域である。
（ｂ）プログラムメモリ領域１０８ｂ：実行するアプリケーションプログラムや画像データを格納するメモリ領域である。
【００２４】
以上のように構成されたクライアントパーソナルコンピュータ３０において、クライアントパーソナルコンピュータ３０の主制御部１０１は、ディジタル複合装置２０の画像読取部２により走査されて変換された後メモリボックス領域８ａ内の対応するメモリボックスに格納された画像データを自身の装置内に転送するとき、対応するメモリボックスを指示する指示データを含む転送指示要求信号をＬＡＮインターフェース１１２及びＬＡＮ７０を介してディジタル複合装置２０内の主制御部１に対して送信し、これに応答して、ディジタル複合装置２０からＬＡＮ７０を介して送信されてくる画像データを受信してハードディスクドライブ９に格納する。
【００２５】
図３は、図１のディジタル複合装置２０の構成を示すブロック図である。
【００２６】
図３において、ディジタル複合装置２０は、従来のＧ３方式等のファクシミリ通信機能に加えて、コピー、プリンタ、及びスキャナーの各機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナーで原稿を読み取り、白黒２値に変換したドット画像データを出力する。画像記録部３は例えば電子写真方式等のプリンタ装置であり、画像読取部２により走査されて変換された画像データや他のファクシミリ装置からファクシミリ通信により受信した画像データをハードコピーとしてプリントアウトして記録したり、文字データを記録する。
【００２７】
表示部４は、液晶表示装置（ＬＣＤ）又はＣＲＴディスプレイ等の表示装置であり、当該ディジタル複合装置２０の動作状態を表示したり、送信すべき原稿の画像データ、及び受信した画像データの表示を行う。操作部５は、当該ディジタル複合装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００２８】
ＲＯＭ６は、当該ディジタル複合装置２０の動作に必要であって主制御部１によって実行される種々のソフトウェアのプログラムを予め格納する。ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。ここで、ＲＡＭ７は、以下のテーブルを格納する。
（ａ）メモリボックス管理テーブル７ａ：画像メモリ８内のメモリボックス領域８ａを管理するためのテーブルであって、ＬＡＮ７０に接続されたクライアントパーソナルコンピュータ３０又はそのユーザに対応して付与されるメモリボックス番号と、そのユーザの受信者名と、画像メモリ８における画像データの格納アドレスと、クライアントパーソナルコンピュータ３０又はそのユーザの電子メールアドレス（ファクシミリ受信の通知など、必要があるとき）とを格納する。
【００２９】
画像メモリ８はＤＲＡＭ等で構成され、送信すべき画像データ又は受信した画像データ、もしくは走査されて変換された画像データを記憶する。ここで、画像メモリ８は、複数のクライアントパーソナルコンピュータ３０又はそのユーザに対応した複数のメモリボックスに区分されたメモリボックス領域８ａを備える。各クライアントパーソナルコンピュータ３０は対応するメモリボックスに、ファクシミリ機能により送受信される画像データ、もしくは、スキャナー機能又はコピー機能により走査されて変換された画像データ、プリンタ機能を用いるときの画像データを転送して一時的に格納し、当該メモリボックスから読み出すときは、転送指示要求信号を送信することにより対応するメモリボックスから読み出して転送させる。さらに、ハードディスクドライブ９は、記録媒体を内蔵する記憶装置であり、種々のデータやプログラムを格納する。具体的には、ハードディスクドライブ５２９は以下の情報やプログラムを含む。
（ａ）アクセス情報９ａ：ＨＴＴＰサーバ装置２００へのアクセス情報であって、ＵＲＬ及び認証情報（ＩＤやパスワードなどの）を含む。
（ｂ）当該装置用プリンタドライバ９ｂ：画像記録部３を駆動制御するためのプログラムである。
（ｃ）ＰＣ（パーソナルコンピュータ）用プリンタドライバ９ｃ：クライアントパーソナルコンピュータ３０に接続されるプリンタを駆動制御するためのプログラムであり、ディジタル複合装置２０は当該プログラムのサーバ装置となる。
【００３０】
ファックスモデム１０は、公衆電話回線Ｌに接続され、通常のファクシミリ通信用のファックスモデムの機能を有するモデムである。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のディジタル回線（例えば、ＩＳＤＮ回線）に接続するようにしてもよい。
【００３１】
さらに、ＬＡＮインターフェース１２は、ＬＡＮ７０に接続され、ＬＡＮ７０からの信号やデータを受信する一方、ＬＡＮ７０に対して信号やデータを送信して信号変換やプロトコル変換などのＬＡＮ通信に係るインターフェース処理を実行する。
【００３２】
以上のように構成されたディジタル複合装置２０のファクシミリ通信機能において、各クライアントパーソナルコンピュータ３０−１乃至３０−Ｎから転送されたドット画像データ、又は画像読取部２により読み取られたドット画像データはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアにより画像データに復号化された後、画像メモリ８に格納され、必要に応じて画像記録部３でプリントされる。
【実施例１】
【００３３】
図４は、図１のＬＡＮ７０に接続された、クライアントパーソナルコンピュータ３０−ｎと、ディジタル複合装置２０と、ＨＴＴＰサーバ装置２００との間で実行される実施例１に係るＰＣ用プリンタドライバのダウンロードの通信及び処理手順を示すシーケンス図である。
【００３４】
図４において、クライアントコンピュータ３０−ｎのユーザがプリンタドライバの更新を操作部１０５を用いて指示したとき、クライアントパーソナルコンピュータ３０−ｎは、ＰＣ用プリンタドライバ更新指示信号をディジタル複合装置２０に送信し、これに応答して、ディジタル複合装置２０は、ＨＴＴＰサーバ装置２００のＵＲＬ及び認証情報を含むＨＴＴＰソース要求信号であるＰＣ用プリンタドライバダウンロード指示信号をＨＴＴＰサーバ装置２００に対して送信してアクセスする。これに応答して、ＨＴＴＰサーバ装置２００は、ドライバメモリ２００ａに記憶されているＰＣ用プリンタドライバのプログラムを読み出してディジタル複合装置２０に対してそのデータをＨＴＴＰソース信号の形式で送信する。これに応答して、ディジタル複合装置２０は、受信した新しいＰＣ用プリンタドライバのプログラムに基づいて、ハードディスクドライブ９内のＰＣ用プリンタドライバ９ｃを更新する。次いで、クライアントパーソナルコンピュータ３０−ｎからのＰＣ用プリンタドライバのダウンロード指示信号に応答して、ディジタル複合装置２０は、ハードディスクドライブ９内のＰＣ用プリンタドライバ９ｃを読み出してクライアントパーソナルコンピュータ３０−ｎに対して送信し、クライアントパーソナルコンピュータ３０−ｎにおいて当該ドライバの更新を行う。
【００３５】
以上の実施例１においては、クライアントパーソナルコンピュータ３０−ｎは、ＰＣ用プリンタドライバ更新指示信号をディジタル複合装置２０に送信しているが、本発明はこれに限らず、ディジタル複合装置２０の操作部５を用いて指示することにより、ＰＣ用プリンタドライバ更新指示信号をＨＴＴＰサーバ装置２００に対して送信するようにしてもよい。
【００３６】
以上説明したように、この実施例１によれば、ＨＴＴＰサーバ装置２００へのアクセス情報を記憶し、当該ディジタル複合装置２０が有するドライバプログラムの更新指示又は更新指示信号に基づいて、上記アクセス情報を用いて上記ＨＴＴＰサーバ装置２００にアクセスするので、ＵＲＬや認証情報などのアクセス情報を公開する必要がなく、安全性が大幅に向上する。また、認証のためのＩＣカードも必要がなく、ユーザの操作が簡単である。
【実施例２】
【００３７】
図５は、図１のＬＡＮ７０に接続された、クライアントパーソナルコンピュータ３０−ｎと、ディジタル複合装置２０と、ＨＴＴＰサーバ装置２００との間で実行される実施例２に係るディジタル複合装置２０用プリンタドライバのダウンロードの通信及び処理手順を示すシーケンス図である。
【００３８】
図５において、クライアントコンピュータ３０−ｎのユーザがディジタル複合装置２０用のプリンタドライバの更新を操作部１０５を用いて指示したとき、クライアントパーソナルコンピュータ３０−ｎは、装置２０用プリンタドライバ更新指示信号をディジタル複合装置２０に送信し、これに応答して、ディジタル複合装置２０は、ＨＴＴＰサーバ装置２００のＵＲＬ及び認証情報を含むＨＴＴＰソース要求信号である装置２０用プリンタドライバダウンロード指示信号をＨＴＴＰサーバ装置２００に対して送信してアクセスする。これに応答して、ＨＴＴＰサーバ装置２００は、ドライバメモリ２００ａに記憶されている装置２０用プリンタドライバのプログラムを読み出してディジタル複合装置２０に対してそのデータをＨＴＴＰソース信号の形式で送信する。これに応答して、ディジタル複合装置２０は、受信した新しい装置２０用プリンタドライバのプログラムに基づいて、ハードディスクドライブ９内の装置２０用プリンタドライバ９ｂを更新する。
【００３９】
以上の実施例２においては、クライアントパーソナルコンピュータ３０−ｎは、装置２０用プリンタドライバ更新指示信号をディジタル複合装置２０に送信しているが、本発明はこれに限らず、ディジタル複合装置２０の操作部５を用いて指示することにより、装置２０用プリンタドライバ更新指示信号をＨＴＴＰサーバ装置２００に対して送信するようにしてもよい。
【００４０】
以上説明したように、この実施例２によれば、ＨＴＴＰサーバ装置２００へのアクセス情報を記憶し、当該ディジタル複合装置２０が有するドライバプログラムの更新指示又は更新指示信号に基づいて、上記アクセス情報を用いて上記ＨＴＴＰサーバ装置２００にアクセスするので、ＵＲＬや認証情報などのアクセス情報を公開する必要がなく、安全性が大幅に向上する。また、認証のためのＩＣカードも必要がなく、ユーザの操作が簡単である。
【実施例３】
【００４１】
図６は、図１のＬＡＮ７０に接続された、クライアントパーソナルコンピュータ３０−ｎと、ディジタル複合装置２０と、ＨＴＴＰサーバ装置２００との間で実行される実施例３に係るディジタル複合装置２０の消耗品発注処理のための通信及び処理手順を示すシーケンス図である。
【００４２】
図６において、クライアントコンピュータ３０−ｎのユーザがディジタル複合装置２０の消耗品発注指示を操作部１０５を用いて指示したとき、クライアントパーソナルコンピュータ３０−ｎは、消耗品発注指示信号をディジタル複合装置２０に送信し、これに応答して、ディジタル複合装置２０は、ＨＴＴＰサーバ装置２００のＵＲＬ及び認証情報を含むＨＴＴＰソース要求信号である消耗品発注指示信号をＨＴＴＰサーバ装置２００に対して送信してアクセスする。これに応答して、ＨＴＴＰサーバ装置２００は、当該消耗品発注を受け付け、ディジタル複合装置２０は、消耗品発注受付信号をＨＴＴＰソース信号の形式でディジタル複合装置２０に送信する。次いで、ディジタル複合装置２０は、受信した消耗品発注受付信号をクライアントパーソナルコンピュータ３０−ｎに転送する。
【００４３】
以上の実施例３においては、クライアントパーソナルコンピュータ３０−ｎは、消耗品発注指示信号をディジタル複合装置２０に送信しているが、本発明はこれに限らず、ディジタル複合装置２０の操作部５を用いて指示することにより、消耗品発注指示信号をＨＴＴＰサーバ装置２００に対して送信するようにしてもよい。
【００４４】
以上説明したように、この実施例３によれば、ＨＴＴＰサーバ装置２００へのアクセス情報を記憶し、当該ディジタル複合装置２０の消耗品などの発注指示又は指示信号に基づいて、上記アクセス情報を用いて上記ＨＴＴＰサーバ装置２００にアクセスするので、ＵＲＬや認証情報などのアクセス情報を公開する必要がなく、安全性が大幅に向上する。また、認証のためのＩＣカードも必要がなく、ユーザの操作が簡単である。従って、他人がなりすまして勝手に発注をしてしまうことを防止することが可能となる。
【００４５】
以上の実施例３においては、ディジタル複合装置２０の消耗品の発注処理を例にあげて説明したが、本発明はこれに限らず、ＨＴＴＰサーバ装置に対して所定の処理を指示するように構成してもよい。
【００４６】
＜変形例＞
以上の実施形態においては、ディジタル複合装置２０の例について述べているが、本発明はこれに限らず、ファクシミリ機能を有するファクシミリ装置やファクシミリサーバ装置などの通信端末装置に広く適用することができる。
【００４７】
以上の実施形態においては、ＨＴＴＰサーバ装置２００を用いているが、本発明はこれに限らず、ＨＴＴＰに限らず、他の通信手順を用いるサーバ装置であってもよい。例えば、プリンタドライバのダウンロードではＦＴＰの通信手順を用いることができる。
【図面の簡単な説明】
【００４８】
【図１】本発明に係る実施形態である、コピー、プリンタ及びスキャナー機能付きのファクシミリ装置であるディジタル複合装置２０を備えたＬＡＮシステムの構成を示すブロック図である。
【図２】図１のクライアントパーソナルコンピュータ３０の構成を示すブロック図である。
【図３】図１のディジタル複合装置２０の構成を示すブロック図である。
【図４】図１のＬＡＮ７０に接続された、クライアントパーソナルコンピュータ３０−ｎと、ディジタル複合装置２０と、ＨＴＴＰサーバ装置２００との間で実行される実施例１に係るＰＣ用プリンタドライバのダウンロードの通信及び処理手順を示すシーケンス図である。
【図５】図１のＬＡＮ７０に接続された、クライアントパーソナルコンピュータ３０−ｎと、ディジタル複合装置２０と、ＨＴＴＰサーバ装置２００との間で実行される実施例２に係るディジタル複合装置２０用プリンタドライバのダウンロードの通信及び処理手順を示すシーケンス図である。
【図６】図１のＬＡＮ７０に接続された、クライアントパーソナルコンピュータ３０−ｎと、ディジタル複合装置２０と、ＨＴＴＰサーバ装置２００との間で実行される実施例３に係るディジタル複合装置２０の消耗品発注処理のための通信及び処理手順を示すシーケンス図である。
【符号の説明】
【００４９】
１…主制御部、
２…画像読取部、
３…画像記録部、
４…表示部、
５…操作部、
６…ＲＯＭ、
７…ＲＡＭ、
７ａ…メモリボックス管理テーブル、
８…画像メモリ、
８ａ…メモリボックス領域、
９…ハードディスクドライブ、
９ａ…アクセス情報、
９ｂ…当該装置用プリンタドライバ、
９ｃ…ＰＣ用プリンタドライバ、
１０…ファックスモデム、
１１…ＮＣＵ、
１２…ＬＡＮインターフェース、
１３…バス、
２０…ディジタル複合装置、
３０，３０−１乃至３０−Ｎ…クライアントパーソナルコンピュータ、
６０…ルータ装置、
７０…ローカルエリアネットワーク（ＬＡＮ）、
８０…公衆電話網、
９０…インターネット、
１０１…主制御部、
１０４…表示部、
１０５…操作部、
１０６…ＲＯＭ、
１０７…ＲＡＭ、
１０８…ハードディスクドライブ、
１０８ａ…画像データメモリ領域、
１０８ｂ…プログラムメモリ領域、
１１２…ＬＡＮインターフェース、
１１３…バス、
２００…ＨＴＴＰサーバ装置、
２００ａ…ドライバメモリ。
【図１】
2005209075.tif 000003
【図２】
2005209075.tif 000004
【図３】
2005209075.tif 000005
【図４】
2005209075.tif 000006
【図５】
2005209075.tif 000007
【図６】
2005209075.tif 000008